(57)【要約】  【課題】  アフェリエイトプログラム用のバナー広告であってもリンク数によりホームページを評価するロボット型検索エンジンに評価させるようにする。  【解決手段】  電子商取引を行うサーバー内に実現される広告評価装置であり、前記サーバーへのリンクが設定された広告を示す表記が表示されるホームページのＵＲＬと所定の関係をもつＵＲＬに記憶されている評価対象を識別する評価対象識別情報を記憶しておき、クライアントコンピューターがホームページに設定されたリンクを選択することにより前記サーバーに接続してきた場合に、当該ホームページのＵＲＬから記憶されているＵＲＬを抽出し、このＵＲＬへアクセスして前記評価対象識別情報を取得し、この評価対象識別情報が記憶されているか否かを判断し、前記クライアントコンピューターを介して前記電子商取引により商品を購入した場合に、評価対象識別情報と関連づけて所定の評価情報を記憶する。  【選択図】  図３
2005141583.tif 000002
【特許請求の範囲】
【請求項１】
インターネット上で電子商取引を行うサーバー内に実現される広告評価装置であって、
前記サーバーへのリンクが設定された広告を示す表記が表示されるホームページのＵＲＬ（Unique Resource Locator）を同等以下のディレクトリに含むトップディレクトリもしくは当該トップディレクトリの下位のディレクトリの所定のＵＲＬに記憶されている評価対象を識別する評価対象識別情報を記憶する評価対象識別情報記憶手段と、
顧客が操作するクライアントコンピューターがインターネット上のホームページ上に設定されたリンクを選択することにより前記サーバーに接続してきた場合に、当該リンクが設定されたホームページのＵＲＬから前記評価対象識別情報が記憶されているＵＲＬを抽出する確認ＵＲＬ抽出手段と、
前記確認ＵＲＬ抽出手段により抽出されたＵＲＬへアクセスして前記評価対象識別情報を取得する評価対象識別情報取得手段と、
取得された評価対象識別情報が、前記評価対象識別情報記憶手段に記憶されているか否かを判断する評価対象識別情報登録判断手段と、
前記顧客が前記クライアントコンピューターを介して前記サーバーで行われる電子商取引により商品を購入した場合に、評価対象識別情報登録判断手段により記憶されていると判断された評価対象識別情報と関連づけて所定の評価情報を記憶する評価情報記憶手段と
を有する広告評価装置。
【請求項２】
前記広告評価装置において、さらに、
前記評価対象識別情報登録判断手段が評価対象識別情報が記憶されていると判断した場合に、前記接続してきたクライアントコンピューターにクライアントコンピューターごとに生成される識別情報であるクライアント識別情報を記憶させるクライアント識別情報記憶指示手段と、
前記クライアント識別情報を、前記評価対象識別情報登録判断手段により記憶されていると判断された評価対象識別情報と関連付けて記憶する評価対象・クライアント識別情報記憶手段と、
インターネット上のクライアントコンピューターが前記サーバーに接続してきた場合に前記クライアント識別情報を読み出すクライアント識別情報読出し手段と、
前記評価対象・クライアント識別情報記憶手段から読み出されたクライアント識別情報に関連付けて記憶された評価対象識別情報を抽出する再評価対象識別情報抽出手段とを有し、
前記評価情報記憶手段は、さらに、前記クライアント識別情報読出し手段に前記クライアント識別情報を読み出されたクライアントコンピューターを操作する顧客が、このクライアントコンピューターを介して前記サーバーで行われる電子商取引により商品を購入した場合に、再評価対象識別情報抽出手段により抽出された評価対象識別情報と関連づけて所定の評価情報を記憶する
請求項１に記載の広告評価装置。
【請求項３】
前記広告評価装置において、
前記評価対象・クライアント識別情報記憶手段を有さず、
前記クライアント識別情報には前記評価対象識別情報登録判断手段により記憶されていると判断された評価対象識別情報が含まれ、
前記再評価対象識別情報抽出手段は読み出されたクライアント識別情報に関連付けて記憶された評価対象識別情報を前記評価対象・クライアント識別情報記憶手段から抽出する代わりに、読み出されたクライアント識別情報から評価対象識別情報を抽出する
請求項２に記載の広告評価装置。
【請求項４】
インターネット上で電子商取引を行うサーバー内に実現される広告評価装置であって、
前記サーバーへのリンクが設定された広告を示す表記が表示されるホームページのＵＲＬを記憶する評価対象ＵＲＬ記憶手段と、
顧客が操作するクライアントコンピューターがインターネット上のホームページ上に設定されたリンクを選択することにより前記サーバーに接続してきた場合に、当該リンクが設定されたホームページのＵＲＬが前記評価対象ＵＲＬ記憶手段に記憶されているか否かを判断するＵＲＬ登録判断手段と、
前記顧客が前記クライアントコンピューターを介して前記サーバーで行われる電子商取引により商品を購入した場合に、ＵＲＬ登録判断手段により記憶されていると判断されたＵＲＬと関連づけて所定の評価情報を記憶する評価情報記憶手段と
を有する広告評価装置。
【請求項５】
前記評価対象ＵＲＬ記憶手段は、前記サーバーへのリンクが設定された広告を示す表記が表示されるホームページのＵＲＬを記憶する代わりに、前記サーバーへのリンクが設定された広告を示す表記が表示されるホームページのＵＲＬを同等以下のディレクトリに含むトップディレクトリもしくは当該トップディレクトリの下位のディレクトリの所定のＵＲＬを記憶し、
前記ＵＲＬ登録判断手段は、顧客が操作するクライアントコンピューターがインターネット上のホームページ上に設定されたリンクを選択することにより前記サーバーに接続してきた場合に、当該リンクが設定された広告を示す表記が表示されたホームページのＵＲＬが前記評価対象ＵＲＬ記憶手段に記憶されているか否かを判断する代わりに、顧客が操作するクライアントコンピューターがインターネット上のホームページ上に設定されたリンクを選択することにより前記サーバーに接続してきた場合に、前記所定のＵＲＬが前記評価対象ＵＲＬ記憶手段に記憶されているか否かを判断する
請求項４に記載の広告評価装置。
【請求項６】
前記広告評価装置において、さらに、
前記ＵＲＬ登録判断手段がＵＲＬが記憶されていると判断した場合に、前記接続されたクライアントコンピューターにクライアントコンピューターごとに生成される識別情報であるクライアント識別情報を記憶させるクライアント識別情報記憶指示手段と、
前記クライアント識別情報を、前記ＵＲＬ登録判断手段により記憶されていると判断されたＵＲＬと関連付けて記憶するＵＲＬ・クライアント識別情報記憶手段と、
インターネット上のクライアントコンピューターが前記サーバーに接続してきた場合に前記クライアント識別情報を読み出すクライアント識別情報読出し手段と、
前記ＵＲＬ・クライアント識別情報記憶手段から読み出されたクライアント識別情報に関連付けて記憶されたＵＲＬを抽出する再ＵＲＬ抽出手段とを有し、
前記評価情報記憶手段は、さらに、前記クライアント識別情報読出し手段に前記クライアント識別情報を読み出されたクライアントコンピューターを操作する顧客が、このクライアントコンピューターを介して前記サーバーで行われる電子商取引により商品を購入した場合に、再ＵＲＬ抽出手段により抽出されたＵＲＬと関連づけて所定の評価情報を記憶する
請求項４又は５に記載の広告評価装置。
【請求項７】
前記広告評価装置において、
前記ＵＲＬ・クライアント識別情報記憶手段を有さず、
前記クライアント識別情報には前記ＵＲＬ登録判断手段により記憶されていると判断されたＵＲＬが含まれ、
前記再ＵＲＬ抽出手段は読み出されたクライアント識別情報に関連付けて記憶されたＵＲＬを前記ＵＲＬ・クライアント識別情報記憶手段から抽出する代わりに、読み出されたクライアント識別情報からＵＲＬを抽出する
請求項６に記載の広告評価装置。
【請求項８】
前記広告評価装置において、さらに、
前記電子商取引により購入される商品ごとに設定される数値データと商品の購入個数と所定の算出式とを用いて前記評価情報を数値データとして計算する評価情報生成手段を有し、
前記評価情報記憶手段は評価情報生成手段が生成した評価情報を記憶する
請求項１から７のいずれか１項に記載の広告評価装置。
【請求項９】
コンピューターに請求項１から８のいずれか１項に記載の広告評価装置としての機能を実現させるプログラム。
【発明の詳細な説明】
【技術分野】
【０００１】
本発明はインターネットの電子商取引に対する広告方法であるアフェリエイトプログラムにおける広告に対する評価を行う装置に関する。
【背景技術】
【０００２】
近年、インターネットによる電子商取引が盛んに行われるようになり、電子商取引を広告宣伝する方法も種々開発されてきている。その中に、特許文献１に開示されるようなアフェリエイトプログラムもしくはアソシエイトプログラムと言われるものがある。これは、電子商取引を行うホームページへリンクが設定されたバナー広告を顧客がクリックしてそのホームページへアクセスし、その後その顧客が商品を購入すると、バナー広告を表示しているホームページの運営者に報酬が支払われるものである。具体的な仕組みは、バナー広告に運営者ＩＤと商品ＩＤを含ませておき、顧客がそのバナー広告をクリックすると、運営者ＩＤと商品ＩＤも電子商取引を行うサーバーへ送られるようになっている。そして、取引が成立した時点で運営者ＩＤに関連づけて報酬を累積的に記憶し、定期的に記憶された報酬を運営者に支払うものである。
【特許文献１】米国特許第６０２９１４１号公報
【発明の開示】
【発明が解決しようとする課題】
【０００３】
インターネットの発展で電子商取引のほかにも、ホームページをキーワードによって検索する検索エンジンといわれるウエブサイトが多くの事業者により運営されるようになっている。この中で、リンクされている数によりホームページを評価する手法を用いたロボット型の検索エンジンの信憑性が高まりアクセス数を伸ばしている。このような検索エンジンでは、他のホームページによってリンクが設定されているページは優秀であるとの推測により、リンクされている数が多いホームページを検索結果の上位に表示するようになっている。
ところで、上述のアフェリエイトプログラム用のバナー広告は上記の動作を行うために本来のＵＲＬへリンクする代わりにCGIプログラムへリンクが設定されるようになっており、実質的には電子商取引を行うホームページへのリンクが設定されているにもかかわらず上記の検索エンジンでは評価するリンクの数にカウントされない。しかし、アフェリエイトプログラム用のバナー広告は一般の個人が運営しているホームページに表示されることがほとんどであり、個人は自己にとって有用な電子商取引サイトのバナー広告を表示させることも多いことから、アフェリエイトプログラム用の広告がリンクの対象から除外されるのは妥当ではない。
そこで、本発明はアフェリエイトプログラム用のバナー広告であってもリンク数によりホームページを評価するロボット型検索エンジンに評価させるようにすることを課題とする。
【課題を解決するための手段】
【０００４】
上記課題を解決するために本発明は次のような構成を有する。
請求項１に記載の発明は、インターネット上で電子商取引を行うサーバー内に実現される広告評価装置であり、評価対象識別情報記憶手段が前記サーバーへのリンクが設定された広告を示す表記が表示されるホームページのＵＲＬ（Unique Resource Locator）を同等以下のディレクトリに含むトップディレクトリもしくは当該トップディレクトリの下位のディレクトリの所定のＵＲＬに記憶されている評価対象を識別する評価対象識別情報を記憶している。そして、確認ＵＲＬ抽出手段が顧客が操作するクライアントコンピューターがインターネット上のホームページに設定されたリンクを選択することにより前記サーバーに接続してきた場合に、当該リンクが設定されたホームページのＵＲＬから前記評価対象識別情報が記憶されているＵＲＬを抽出し、評価対象識別情報取得手段が前記確認ＵＲＬ抽出手段により抽出されたＵＲＬへアクセスして前記評価対象識別情報を取得し、評価対象識別情報登録判断手段が取得された評価対象識別情報が、前記評価対象識別情報記憶手段に記憶されているか否かを判断する。また、評価情報記憶手段が前記顧客が前記クライアントコンピューターを介して前記サーバーで行われる電子商取引により商品を購入した場合に、評価対象識別情報登録判断手段により記憶されていると判断された評価対象識別情報と関連づけて所定の評価情報を記憶する。
なお、本願におけるトップディレクトリとは、ホームページの管理者が管理するＵＲＬが示す記憶領域における最上位のディレクトリを意味する。ルートディレクトリと呼ばれる場合もある。具体的には、管理者が一つのドメインを管理する場合においてはドメインの直下のＵＲＬが示すディレクトリが本願におけるトップディレクトリに該当し、インターネットプロバイダーがサーバースペースを提供するような場合は、ドメイン以下に各個人用のディレクトリが割り当てられるので、その各個人に割り当てられるディレクトリがトップディレクトリに該当する。また、「同等以下のディレクトリ」とは、広告が表示されたホームページデータの記憶されるディレクトリがトップディレクトリおよびその下位のすべてのディレクトリである場合を意味する。
【０００５】
請求項２に記載の発明は、前記広告評価装置において、さらに、クライアント識別情報記憶指示手段が前記評価対象識別情報登録判断手段が評価対象識別情報が記憶されていると判断した場合に、前記接続されたクライアントコンピューターにクライアントコンピューターごとに生成される識別情報であるクライアント識別情報を記憶させ、評価対象・クライアント識別情報記憶手段は前記クライアント識別情報を、前記評価対象識別情報登録判断手段により記憶されていると判断された評価対象識別情報と関連付けて記憶する。そして、クライアント識別情報読出し手段がインターネット上のクライアントコンピューターが前記サーバーに接続してきた場合に前記クライアント識別情報を読み出し、再評価対象識別情報抽出手段が前記評価対象・クライアント識別情報記憶手段から読み出されたクライアント識別情報に関連付けて記憶された評価対象識別情報を抽出する。また、前記評価情報記憶手段は、さらに、前記クライアント識別情報読出し手段に前記クライアント識別情報を読み出されたクライアントコンピューターを操作する顧客が、このクライアントコンピューターを介して前記サーバーで行われる電子商取引により商品を購入した場合に、再評価対象識別情報抽出手段により抽出された評価対象識別情報と関連づけて所定の評価情報を記憶する。なお、クライアント識別情報記憶指示手段は少なくとも前記評価対象識別情報登録判断手段が評価対象識別情報が記憶されていると判断した場合にクライアント識別情報を記憶させれば足り、前記評価対象識別情報登録判断手段が評価対象識別情報が記憶されていないと判断した場合にクライアント識別情報をクライアントコンピューターに記憶させるか否かは問わない。
【０００６】
請求項３に記載の発明は、前記請求項２に記載の広告評価装置において、前記評価対象・クライアント識別情報記憶手段を有さず、前記クライアント識別情報には前記評価対象識別情報登録判断手段により記憶されていると判断された評価対象識別情報が含まれる。そして、前記再評価対象識別情報抽出手段は読み出されたクライアント識別情報に関連付けて記憶された評価対象識別情報を前記評価対象・クライアント識別情報記憶手段から抽出する代わりに、読み出されたクライアント識別情報から評価対象識別情報を抽出する。
【０００７】
請求項４に記載の発明は、インターネット上で電子商取引を行うサーバー内に実現される広告評価装置であり、評価対象ＵＲＬ記憶手段が前記サーバーへのリンクが設定された広告を示す表記が表示されるホームページのＵＲＬを記憶している。そして、ＵＲＬ登録判断手段が顧客が操作するクライアントコンピューターがインターネット上のホームページに設定されたリンクを選択することにより前記サーバーに接続してきた場合に、当該リンクが設定されたホームページのＵＲＬが前記評価対象ＵＲＬ記憶手段に記憶されているか否かを判断し、評価情報記憶手段が前記顧客が前記クライアントコンピューターを介して前記サーバーで行われる電子商取引により商品を購入した場合に、ＵＲＬ登録判断手段により登録されていると判断されたＵＲＬと関連づけて所定の評価情報を記憶する。
【０００８】
請求項５に記載の発明は、請求項４に記載の広告評価装置において前記評価対象ＵＲＬ記憶手段は、前記サーバーへのリンクが設定された広告を示す表記が表示されるホームページのＵＲＬを記憶する代わりに、前記サーバーへのリンクが設定された広告を示す表記が表示されるホームページのＵＲＬを同等以下のディレクトリに含むトップディレクトリもしくは当該トップディレクトリの下位のディレクトリの所定のＵＲＬを記憶する。そして、前記ＵＲＬ登録判断手段は、顧客が操作するクライアントコンピューターがインターネット上のホームページ上に設定されたリンクを選択することにより前記サーバーに接続してきた場合に、当該リンクが設定されたホームページのＵＲＬが前記評価対象ＵＲＬ記憶手段に記憶されているか否かを判断する代わりに、顧客が操作するクライアントコンピューターがインターネット上のホームページ上に設定されたリンクを選択することにより前記サーバーに接続してきた場合に、前記所定のＵＲＬが前記評価対象ＵＲＬ記憶手段に記憶されているか否かを判断する。
【０００９】
請求項６に記載の発明は、請求項４又は５に記載の広告評価装置において、さらに、前記ＵＲＬ登録判断手段がＵＲＬが記憶されているとと判断した場合に、クライアント識別情報記憶指示手段が前記接続されたクライアントコンピューターにクライアントコンピューターごとに生成される識別情報であるクライアント識別情報を記憶させ、ＵＲＬ・クライアント識別情報記憶手段が前記クライアント識別情報を、前記ＵＲＬ登録判断手段により記憶されていると判断されたＵＲＬと関連付けて記憶する。そして、インターネット上のクライアントコンピューターが前記サーバーに接続してきた場合にクライアント識別情報読出し手段が  前記クライアント識別情報を読み出し、再ＵＲＬ抽出手段が前記ＵＲＬ・クライアント識別情報記憶手段から読み出された識別情報に関連付けて記憶されたＵＲＬを抽出する。前記評価情報記憶手段は、前記クライアント識別情報読出し手段に前記クライアント識別情報を読み出されたクライアントコンピューターを操作する顧客が、このクライアントコンピューターを介して前記サーバーで行われる電子商取引により商品を購入した場合に、再ＵＲＬ抽出手段により抽出されたＵＲＬと関連づけて所定の評価情報を記憶する。なお、クライアント識別情報記憶指示手段は少なくとも前記ＵＲＬ登録判断手段がＵＲＬが記憶されていると判断した場合にクライアント識別情報を記憶させれば足り、前記ＵＲＬ登録判断手段がＵＲＬが記憶されていないと判断した場合にクライアント識別情報をクライアントコンピューターに記憶させるか否かは問わない。
【００１０】
請求項７に記載の発明は、請求項６に記載の広告評価装置において、前記ＵＲＬ・クライアント識別情報記憶手段を有さず、前記クライアント識別情報には前記ＵＲＬ抽出手段により抽出されたＵＲＬが含まれる。そして、前記再ＵＲＬ抽出手段は読み出されたクライアント識別情報に関連付けて記憶されたＵＲＬを前記ＵＲＬ・クライアント識別情報記憶手段から抽出する代わりに、読み出されたクライアント識別情報からＵＲＬを抽出する。
請求項８に記載の発明は、前記広告評価装置において、さらに、評価情報生成手段が  前記電子商取引により購入される商品ごとに設定される数値データと商品の購入個数と所定の算出式とを用いて前記評価情報を数値データとして計算し、前記評価情報記憶手段は評価情報生成手段が生成した評価情報を記憶する。
請求項９に記載の発明は、コンピューターに前記広告評価装置としての機能を実現させるプログラムである。
【発明の効果】
【００１１】
請求項１に記載の発明は、広告を示す表記に設定されるリンクを直接広告対象者のホームページへのリンクとしても広告を示す表記を表示したホームページに対して商品購入に対する評価をすることができる。そして、リンク数によりホームページを評価するロボット型検索エンジンにおいてリンクが直接設定されているので広告を示す表記も通常のリンクとしてホームページの評価に含ませることが可能となる。また、評価対象となるホームページの管理者が評価対象識別情報を記憶させなければならないので、管理者に評価対象識別情報を適切に伝達できれば正当な管理者が管理するホームページであることを確認することができる。さらに、トップディレクトリ以下のすべてのホームページに設定されたリンクを一つの評価対象識別情報で管理することができる。
請求項２に記載の発明は、広告を示す表記を選択して顧客が電子商取引を運営するサーバーに接続した後、商品を購入せずに接続を中断した場合でも、顧客のクライアントコンピューターにクライアント識別情報が記憶してあるので、再度接続してきた場合に、顧客のクライアントコンピューターを特定することができ、再度接続してきた場合に商品を購入した場合であっても広告を示す表記を表示したホームページに対して商品購入に対する評価をすることができる。
請求項３に記載の発明は、顧客のクライアントコンピューターに記憶させる識別情報にその顧客が選択した広告を示す表記を表示したホームページのＵＲＬが含まれるので、ＵＲＬとクライアント識別情報を広告装置評価装置側で関連づけて記憶する必要がなく、構成を簡易にすることができる。
【００１２】
請求項４に記載の発明は、リンクが設定された広告を示す表記に設定されるリンクを直接広告対象者のホームページへのリンクとしても広告を示す表記を表示したホームページに対して商品購入に対する評価をすることができる。そして、リンク数によりホームページを評価するロボット型検索エンジンにおいてリンクが直接設定されているので広告を示す表記も通常のリンクとしてホームページの評価に含ませることが可能となる。
請求項５に記載の発明でも、請求項４に記載の発明と同様の効果があるとともに、より上位のＵＲＬを利用することで、そのＵＲＬよりも下位のすべてのディレクトリのホームページに設定されたリンクを同じＵＲＬで管理することができることになる。
請求項６に記載の発明は、広告を示す表記を選択して顧客が電子商取引を運営するサーバーに接続した後、商品を購入せずに接続を中断した場合でも、顧客のクライアントコンピューターにクライアント識別情報が記憶してあるので、再度接続してきた場合に、顧客のクライアントコンピューターを特定することができ、再度接続してきた場合に商品を購入した場合であっても広告を示す表記を表示したホームページに対して商品購入に対する評価をすることができる。
請求項７に記載の発明は、顧客のクライアントコンピューターに記憶させる識別情報にその顧客が選択した広告を示す表記を表示したホームページのＵＲＬが含まれるので、ＵＲＬとクライアント識別情報を広告装置評価装置側で関連づけて記憶する必要がなく、構成を簡易にすることができる。
【００１３】
請求項８に記載の発明は、顧客の購入した商品に応じて評価情報を数値データとして計算するので、広告を示す表記を表示するホームページ運営者に対して利益額や売り上げ額等に応じた評価を与えることができる。
請求項９に記載の発明は、一般的なコンピューターにより上記広告評価装置を実現することができる。
【発明を実施するための最良の形態】
【００１４】
以下、本発明の実施の形態について、図面を参照しながら説明する。
（実施の形態１）
図１に本発明に係る広告評価装置Ａを含むネットワークを模式的に示す。本ネットワークはインターネットにより形成され、電子商取引を行うホームページを運営するサーバーＸ、電子商取引を行うホームページに対するリンクが設定された広告を示す表記を表示するホームページが記憶されたサーバーＹ、電子商取引の顧客となる一般消費者が操作するクライアントコンピューターＵが含まれる。広告評価装置ＡはサーバーＸ内に形成される。また、サーバＹにおいて、前記電子商取引を行うホームページへのリンクが設定されたホームページのＵＲＬが記憶されたディレクトリより上位のディレクトリに（ここではトップディレクトリ）に予め広告評価装置Ａの管理者から送信された評価対象識別情報を含まれるＩＤファイルが、このホームページの管理者により記憶されているものとする。ここではこのＩＤファイル名を「staffid.dat」としているものとする。
図２に広告評価装置Ａを含むサーバーＸのハードウエア構成を模式的に表すブロック図を示す。サーバーＸは一般的なコンピューターにより構成され、具体的には演算処理を行うCPU１１、CPUの作業領域となるRAM１２、基本的なプログラムはデータを記録するROM１３、CPUの動作タイミングを取るためのクロック１４、データやプログラムを記憶するためのハードディスク１５、インターネットに接続するためのルーター等のネットワークインターフェース１６などにより構成される。広告評価装置Ａはこのような一般的なコンピューターに下記に示すような動作を行わせるプログラムを組み込むことにより実現される。
図３に広告評価装置Ａおよび電子商取引実施装置Ｂの構成を模式的に表す機能ブロック図を示す。電子商取引実施装置Ｂは電子商取引を実施するためにサーバーＸ内に所定のプログラムにより実現されるものであり、機能的に電子商取引の商品を表示したり注文指示を受け付けるためのホームページデータを記憶するＨＰ記憶部２０１、顧客が操作するクライアントコンピューターＵからの指示を受け付けてホームページデータを送信するＨＰ送信部２０２、顧客からの商品注文を受け付け、決済処理等を行う決済処理部２０３が含まれる。
【００１５】
広告評価装置Ａは機能的に、評価対象識別情報記憶部４０１、評価対象識別情報登録判断部４０２、評価情報生成部４０３、評価情報記憶部４０４、クライアント識別情報記憶指示部４０５、評価対象・クライアント識別情報記憶部４０６、クライアント識別情報読出し部４０７、再評価対象識別情報抽出部４０８、確認ＵＲＬ抽出部４０９、評価対象識別情報取得部４１０が含まれる。
評価対象識別情報記憶部４０１はサーバーＸの電子商取引ページへのリンクが設定された広告を示す表記が表示されるホームページに対して割り当てられる対象者識別情報を記憶する。図４（ａ）に評価対象識別情報記憶部４０１のレコード内容を模式的に示す。評価対象識別情報記憶部４０１では、広告者ＩＤを主キーとして、広告を示す表記が表示されるホームページの評価対象識別情報、このホームページの運営者の氏名、電子メールアドレス、住所、電話番号等の属性情報が関連付けて記憶されている。
確認ＵＲＬ抽出部４０９は、顧客が操作するクライアントコンピューターＵがインターネット上のホームページ上に設定されたリンクを選択することにより前記サーバーに接続してきた場合に、当該リンクが設定された広告を示す表記が表示されたホームページのＵＲＬから前記評価対象識別情報が記憶されているＵＲＬを抽出する
。顧客が操作するクライアントコンピューターＵがインターネット上のホームページ上に設定されたリンクを選択することにより前記サーバーに接続してきたかどうか、およびリンク元のＵＲＬは、インターネットにおいては参照元情報（refer）が送られてくるので、これをもって判断する。評価対象識別情報が記憶されているＵＲＬの抽出は具体的には次のように行う。すなわち、ここでは、広告を示す表記が表示されたホームページのＵＲＬの上位のディレクトリのＵＲＬ、ここではトップディレクトリに評価対象識別情報が記憶されているので、例えば、広告を示す表記が表示されたホームページのＵＲＬを「http://www.xyz000.com/first/second/」であるとすると、参照元情報からこのＵＲＬを取り出して、「/first/second/」を取り、代わりに、トップディレクトリ内に記憶されている評価対象識別情報を含むファイル名である「staffid.dat」を付加して、「http://www.xyz000.com/ staffid.dat/」とすることで、評価対象識別情報が記憶されているＵＲＬを抽出する。
評価対象識別情報取得部４１０は前記確認ＵＲＬ抽出部４０９により抽出されたＵＲＬへアクセスして前記評価対象識別情報を取得する。なお、登録されていないホームページからのリンクである場合は評価対象識別情報は存在せず、この場合はアクセスしても何も得られないので、そのまま処理を終了する。
評価対象識別情報登録判断部４０２は、評価対象識別情報取得部４１０により取得された評価対象識別情報が前記評価対象識別情報記憶部４０１に記憶されているか否かを判断する。
【００１６】
クライアント識別情報記憶指示部４０５は、前記評価対象識別情報登録判断部４０２が評価対象識別情報が記憶されていると判断した場合に、前記接続されたクライアントコンピューターＵにクライアントコンピューターごとに生成される識別情報であるクライアント識別情報を記憶させる。クライアント識別情報記憶指示部４０５は、インターネットにおいて広く普及している技術であるクッキー（Cookie）を用いている。クッキーはクライアントコンピューター内にブラウザソフトウエアを介して小さなテキストファイルを記憶させる技術であるが、一般的に知られているので説明は省略する。
評価対象・クライアント識別情報記憶部４０６は、前記クライアント識別情報を、前記評価対象識別情報登録判断部４０２により記憶されていると判断された評価対象識別情報と関連付けて記憶する。図４（ｂ）に評価対象・クライアント識別情報記憶部４０６のレコード内容を模式的に示す。図に示すように、評価対象・クライアント識別情報記憶部４０６ではクライアント識別情報に関連付けて評価対象識別情報が記憶されている。
クライアント識別情報読出し部４０７は、インターネット上のクライアントコンピューターUがサーバーXに接続してきた場合に前記クライアント識別情報を読み出す。これも上述したクッキーの動作の一部であり説明は省略する。なお、ここではクライアント識別情報読出し部４０７は、直接クライアントコンピューターUがリンクを介さずにサーバーXに接続してきた場合にのみ前記クライアント識別情報を読み出すものとする。
再評価対象識別情報抽出部４０８は、クライアント識別情報読出し部４０７により読み出されたクライアント識別情報に関連付けて記憶された評価対象識別情報を前記評価対象・クライアント識別情報記憶部４０６から抽出する。なお、対応する評価対象識別情報がない場合もありえるがこの場合は、評価対象識別情報の抽出は行われない。
【００１７】
評価情報生成部４０３は、顧客が前記クライアントコンピューターＵを介してサーバーＸで行われる電子商取引により商品を購入した場合に、前記電子商取引により購入される商品ごとに設定される数値データと商品の購入個数と所定の算出式を用いて前記評価情報を数値データとして計算する。ここでは、商品の販売価格と購入個数を互いに掛け合わせる算出式を用いて、購入総額を評価情報として生成するものとする。
評価情報記憶部４０４は、顧客が前記クライアントコンピューターＵを介してサーバーＸで行われる電子商取引により商品を購入した場合に、評価対象識別情報登録判断部４０２により記憶されていると判断された評価対象識別情報と関連づけて評価情報生成部４０３が生成した評価情報を記憶する。なお、評価対象識別情報登録判断部４０２により記憶されていると判断されて評価対象識別情報と関連づけて評価情報を記憶するのは、クライアントコンピューターＵがリンクが設定された広告を示す表記を選択することによりサーバーＸに接続し、そのまま通信を切断することなく商品を購入した場合に限られる。このクライアントコンピューターＵが一端通信を切断したのち、再接続してきた場合には次のような動作を行う。すなわち、再接続の場合は前記クライアント識別情報がクライアントコンピューターに記憶されているので、前記クライアント識別情報読出し部４０７に前記クライアント識別情報を読み出されたクライアントコンピューターUを操作する顧客が、このクライアントコンピューターを介して前記サーバーで行われる電子商取引により商品を購入した場合には、再評価対象識別情報抽出部４０８により抽出された評価対象識別情報と関連づけて前記評価情報を記憶する。図４（ｃ）に評価情報記憶部４０４のレコード内容を模式的に示す。図に示すように評価情報記憶部４０４は広告者IDを主キーとして評価情報を記憶することで、評価対象識別情報と評価情報を間接的に関連付けて記憶している。なお、評価情報は顧客が新たに商品を購入する度に生成されるので、そのたびごとに追加して記憶されていく。
【００１８】
次に、以上のような構成を有する広告評価装置の動作について説明する。図５にこの動作を表すフローチャートを示す。まず、クライアントコンピューターUが電子商取引ページに接続して来た場合に、クライアント識別情報読出し部４０７が動作を行う（ｓ１０１）。ここで、クライアントコンピューターUがリンクを経由して電子商取引ページに接続して来た場合には、確認ＵＲＬ抽出部４０９がリンク元のＵＲＬに基づいて評価対象識別情報が記憶されているトップディレクトリ内のIDファイルのＵＲＬを抽出する（ｓ１０２、ｓ１０３）。評価対象識別情報取得部４１０はこの抽出されたＵＲＬへアクセスして、評価対象識別情報ファイルを要求する（ｓ１０４）、ここで、評価対象識別情報ファイルがあればサーバYはこれを送信してくるのでこれを取得するが、ない場合はここで処理を終了する（ｓ１０５）。評価対象識別情報が取得できた場合は評価対象識別情報登録判断部４０２がこの取得された評価対象識別情報が、評価対象識別情報記憶部４０１に記憶されているか否かを判断する（ｓ１０６）。ここで、評価対象識別情報が記憶されていないと判断された場合は処理を終了する（ｓ１０７）。一方、評価対象識別情報が記憶されていると判断された場合は、クライアント識別情報記憶指示部４０５がクッキーデータとしてクライアント識別情報をクライアントコンピューターへ送信し記憶させる（ｓ１０８）。そして、クライアント識別情報と記憶されていると判断された評価対象識別情報とを関連付けて評価対象・クライアント識別情報記憶部４０６が記憶する（ｓ１０９）。この状態で、クライアントコンピューターＵが商品を購入するか、接続を継続しているかの判断が行われる。クライアントコンピューターＵから商品の購入がないまま接続が切断された場合は処理を終了する（ｓ１１０、ｓ１１１）。一方、商品の購入があった場合は、評価情報生成部４０３が商品の購入価格と購入数量に基づいて評価情報を生成し（ｓ１１２）、評価情報記憶部４０４が生成された評価情報を、評価対象識別情報登録判断部４０２により記憶されていると判断された評価対象識別情報と関連づけられた広告者ＩＤと関連付けて記憶する（ｓ１１３）。
【００１９】
一方、ｓ１０２において、クライアントコンピューターＵがリンクを介することなく直接、電子商取引ページへ接続してきた場合には、クライアント識別情報読出し部４０７がクライアントコンピューターからクライアント識別情報が含まれるクッキーデーターを読み出す（ｓ１０２、ｓ１１４）。次に、再評価対象識別情報抽出部４０８が評価対象・クライアント識別情報記憶部４０６から読み出されたクライアント識別情報に関連づけられている評価対象識別情報を抽出する（ｓ１１５）。なお、ここで読み出されたクライアント識別情報は記憶されていない場合もあるので、この場合は処理を終了する（ｓ１１６）。評価対象識別情報が抽出された場合は、クライアントコンピューターＵが商品を購入するか、接続を継続しているかの判断が行われる。クライアントコンピューターＵから商品の購入がないまま接続が切断された場合は処理を終了する（ｓ１１７、ｓ１１８）。一方、商品の購入があった場合は、評価情報生成部４０３が商品の購入価格と購入数量に基づいて評価情報を生成し（ｓ１１９）、評価情報記憶部４０４が生成された評価情報を、再評価対象識別情報抽出部４０８により抽出された評価対象識別情報と関連づけられた広告者ＩＤと関連付けて記憶する（ｓ１２０）。
【００２０】
（実施の形態２）
図６に実施の形態２に係る広告評価装置Ａ2および電子商取引実施装置Ｂの構成を模式的に表す機能ブロック図を示す。この広告評価装置Ａ2の実施の形態１に係る広告評価装置Ａとの違いは、評価対象・クライアント識別情報記憶部４０６を有していない点、クライアント識別情報記憶指示部４０５ａがクライアントコンピューターＵにクッキーデータとして記憶させる前記クライアント識別情報には前記評価対象識別情報登録判断部４０２により記憶されていると判断された評価対象識別情報が含まれる点、前記再評価対象識別情報抽出部４０８ａは読み出されたクライアント識別情報に関連付けて記憶された評価対象識別情報を読み出されたクライアント識別情報から抽出する点である。
この広告評価装置Ａ2の動作は図５のフローチャートにおいて、ｓ１０８で送信するクッキーデーターにはクライアント識別情報と評価対象識別情報が含まれることでｓ１０９省かれ、ｓ１１５において前記再評価対象識別情報抽出部４０８ａは読み出されたクライアント識別情報に関連付けて記憶された評価対象識別情報を読み出されたクライアント識別情報から抽出する点だけが変わることになる。
なお、上記２つの実施の形態では、評価対象識別情報は広告を表示するホームページのトップディレクトリに記憶するようにしているが、トップディレクトリである必要はなくトップディレクトリ以下の任意のディレクトリに記憶させることが可能である。
【００２１】
（実施の形態３）
実施の形態３では、評価対象識別情報は評価対象となるホームページを記憶するサーバーＹ内に記憶されることなく、このホームページのＵＲＬが評価対象の識別情報として使用される。
図７に実施の形態３に係る広告評価装置Ａ３および電子商取引実施装置Ｂの機能を模式的に示す機能ブロック図を示す。広告評価装置Ａ3は機能的に、評価対象ＵＲＬ記憶部１０１、ＵＲＬ登録判断部１０２、評価情報生成部１０３、評価情報記憶部１０４、クライアント識別情報記憶指示部１０５、ＵＲＬ・クライアント識別情報記憶部１０６、クライアント識別情報読出し部１０７、再ＵＲＬ抽出部１０８が含まれる。
評価対象ＵＲＬ記憶部１０１はサーバーＸの電子商取引ページへのリンクが設定された広告を示す表記が表示されるホームページのＵＲＬ群を記憶する。図８（ａ）に評価対象ＵＲＬ記憶部１０１のレコード内容を模式的に示す。評価対象ＵＲＬ記憶部１０１では、広告者ＩＤを主キーとして、広告を示す表記が表示されるホームページのＵＲＬ、このホームページの運営者の氏名、電子メールアドレス、住所、電話番号等の属性情報が関連付けて記憶されている。
ＵＲＬ登録判断部１０２は、顧客が操作するクライアントコンピューターＵがインターネット上のホームページ上に設定されたリンクを選択することにより前記サーバーに接続してきた場合に、当該リンクが設定された広告を示す表記が表示されたホームページのＵＲＬが前記評価対象ＵＲＬ記憶部１０１に記憶されているか否かを判断する。顧客が操作するクライアントコンピューターＵがインターネット上のホームページ上に設定されたリンクを選択することにより前記サーバーに接続してきたかどうか、およびリンク元のＵＲＬは、インターネットおいて参照元情報が取得できるようになっているので、これを参照して判断する。
【００２２】
クライアント識別情報記憶指示部１０５は、前記ＵＲＬ登録判断部１０２がＵＲＬが記憶されていると判断した場合に、前記接続されたクライアントコンピューターＵにクライアントコンピューターごとに生成される識別情報であるクライアント識別情報を記憶させる。クライアント識別情報記憶指示部１０５は、インターネットにおいて広く普及している技術であるクッキー（Cookie）を用いている。クッキーはクライアントコンピューター内にブラウザソフトウエアを介して小さなテキストファイルを記憶させる技術であるが、一般的に知られているので説明は省略する。
ＵＲＬ・クライアント識別情報記憶部１０６は、前記クライアント識別情報を、前記ＵＲＬ登録判断部１０２により記憶されていると判断されたＵＲＬと関連付けて記憶する。図８（ｂ）にＵＲＬ・クライアント識別情報記憶部１０６のレコード内容を模式的に示す。図に示すように、ＵＲＬ・クライアント識別情報記憶部１０６ではクライアント識別情報に関連付けてＵＲＬが記憶されている。
クライアント識別情報読出し部１０７は、インターネット上のクライアントコンピューターUがサーバーXに接続してきた場合に前記クライアント識別情報を読み出す。これも上述したクッキーの動作の一部であり説明は省略する。なお、ここではクライアント識別情報読出し部１０７は、直接クライアントコンピューターUがリンクを介さずにサーバーXに接続してきた場合にのみ前記クライアント識別情報を読み出すものとする。
再ＵＲＬ抽出部１０８は、クライアント識別情報読出し部１０７により読み出されたクライアント識別情報に関連付けて記憶されたＵＲＬを前記ＵＲＬ・クライアント識別情報記憶部１０６から抽出する。なお、対応するＵＲＬがない場合もありえるがこの場合は、ＵＲＬの抽出は行われない。
【００２３】
評価情報生成部１０３は、顧客が前記クライアントコンピューターＵを介してサーバーＸで行われる電子商取引により商品を購入した場合に、前記電子商取引により購入される商品ごとに設定される数値データと商品の購入個数と所定の算出式を用いて前記評価情報を数値データとして計算する。ここでは、商品の販売価格と購入個数を互いに掛け合わせる算出式を用いて、購入総額を評価情報として生成するものとする。
評価情報記憶部１０４は、顧客が前記クライアントコンピューターＵを介してサーバーＸで行われる電子商取引により商品を購入した場合に、ＵＲＬ登録判断部１０２により記憶されていると判断されたＵＲＬと関連づけて評価情報生成部１０３が生成した評価情報を記憶する。なお、ＵＲＬ登録判断部１０２により記憶されていると判断されてＵＲＬと関連づけて評価情報を記憶するのは、クライアントコンピューターＵがリンクが設定された広告を示す表記を選択することによりサーバーＸに接続し、そのまま通信を切断することなく商品を購入した場合に限られる。このクライアントコンピューターＵが一端通信を切断したのち、再接続してきた場合には次のような動作を行う。すなわち、再接続の場合は前記クライアント識別情報がクライアントコンピューターに記憶されているので、前記クライアント識別情報読出し部１０７に前記クライアント識別情報を読み出されたクライアントコンピューターUを操作する顧客が、このクライアントコンピューターを介して前記サーバーで行われる電子商取引により商品を購入した場合には、再ＵＲＬ抽出手段により抽出されたＵＲＬと関連づけて前記評価情報を記憶する。図８（ｃ）に評価情報記憶部１０４のレコード内容を模式的に示す。図に示すように評価情報記憶部１０４は広告者IDを主キーとして評価情報を記憶することで、ＵＲＬと評価情報を関連付けて記憶している。なお、評価情報は顧客が新たに商品を購入する度に生成されるので、そのたびごとに追加して記憶されていく。
【００２４】
次に、以上のような構成を有する広告評価装置の動作について説明する。図９にこの動作を表すフローチャートを示す。まず、クライアントコンピューターUが電子商取引ページに接続して来た場合に、ＵＲＬ抽出部１０２およびクライアント識別情報読出し部１０７が動作を行う（ｓ１０１）。ここで、クライアントコンピューターUがリンクを経由して電子商取引ページに接続して来た場合には、ＵＲＬ登録判断部１０２が通信データからリンク元のＵＲＬを抽出して、評価対象ＵＲＬ記憶部１０１にそのＵＲＬと一致するＵＲＬが記憶されているか否かを判断する（ｓ１０２、ｓ１０３）。ここで、ＵＲＬが記憶されていないと判断された場合は処理を終了する（ｓ１０４）。一方、ＵＲＬが記憶されていると判断された場合は、クライアント識別情報記憶指示部１０５がクッキーデータとしてクライアント識別情報をクライアントコンピューターへ送信し記憶させる（ｓ１０５）。そして、当該識別情報と記憶されていると判断されたＵＲＬとを関連付けてＵＲＬ・クライアント識別情報記憶部１０６が記憶する（ｓ１０６）。この状態で、クライアントコンピューターＵが商品を購入するか、接続を継続しているかの判断が行われる。クライアントコンピューターＵから商品の購入がないまま接続が切断された場合は処理を終了する（ｓ１０７、ｓ１０８）。一方、商品の購入があった場合は、評価情報生成部１０３が商品の購入価格と購入数量に基づいて評価情報を生成し（ｓ１０９）、評価情報記憶部１０４が生成された評価情報を、ＵＲＬ登録判断部１０２により記憶されていると判断されたＵＲＬと関連づけられた広告者ＩＤと関連付けて記憶する（ｓ１１０）。
【００２５】
一方、ｓ１０２において、クライアントコンピューターＵがリンクを介することなく直接、電子商取引ページへ接続してきた場合には、クライアント識別情報読出し部１０７がクライアントコンピューターからクライアント識別情報が含まれるクッキーデーターを読み出す（ｓ１０２、ｓ１１１）。次に、再ＵＲＬ抽出部１０８がＵＲＬ・クライアント識別情報記憶部１０６から読み出されたクライアント識別情報に関連づけられているＵＲＬを抽出する（ｓ１１２）。なお、ここで読み出されたクライアント識別情報は記憶されていない場合もあるので、この場合は処理を終了する（ｓ１１３）。ＵＲＬが抽出された場合は、クライアントコンピューターＵが商品を購入するか、接続を継続しているかの判断が行われる。クライアントコンピューターＵから商品の購入がないまま接続が切断された場合は処理を終了する（ｓ１１４、ｓ１１５）。一方、商品の購入があった場合は、評価情報生成部１０３が商品の購入価格と購入数量に基づいて評価情報を生成し（ｓ１１６）、評価情報記憶部１０４が
生成された評価情報を、再ＵＲＬ抽出部１０８により抽出されたＵＲＬと関連づけられた広告者ＩＤと関連付けて記憶する（ｓ１１７）。
【００２６】
（実施の形態４）
図１０に実施の形態４に係る広告評価装置Ａ４および電子商取引実施装置Ｂの構成を模式的に表す機能ブロック図を示す。この広告評価装置Ａ４の実施の形態３に係る広告評価装置Ａ３との違いは、ＵＲＬ・クライアント識別情報記憶部１０６を有していない点、クライアント識別情報記憶指示部１０５ａがクライアントコンピューターＵにクッキーデータとして記憶させる前記クライアント識別情報には前記ＵＲＬ登録判断部１０２により記憶されていると判断されたＵＲＬが含まれる点、前記再ＵＲＬ抽出部１０８ａは読み出されたクライアント識別情報に関連付けて記憶されたＵＲＬを読み出されたクライアント識別情報から抽出する点である。
この広告評価装置Ａ４の動作は図９のフローチャートにおいて、ｓ１０５で送信するクッキーデーターにはクライアント識別情報とＵＲＬが含まれることで、ｓ１０６が省かれ、ｓ１１２において前記再ＵＲＬ抽出部１０８ａは読み出されたクライアント識別情報に関連付けて記憶されたＵＲＬを読み出されたクライアント識別情報から抽出する点だけが変わることになる。
なお、実施の形態３、４において評価対象の識別情報を広告が表示されたホームページのＵＲＬとしているが、このホームページのＵＲＬを下位以下のディレクトリに含むトップディレクトリもしくはトップディレクトリの下位のディレクトリのＵＲＬを適宜選択して使用することが可能である。
【図面の簡単な説明】
【００２７】
【図１】実施の形態に係る広告評価装置の属するネットワークを模式的に示す図である。
【図２】実施の形態に係る広告評価装置が実現されるサーバーのハードウエア構成を模式的に示すブロック図である。
【図３】実施の形態１に係る広告評価装置の機能を模式的に示す機能ブロック図である。
【図４】（ａ）は評価対象識別情報記憶部のレコード内容を模式的に示す図であり、（ｂ）は評価対象・クライアント識別情報記憶部のレコード内容を模式的に示す図であり、（ｃ）は評価情報記憶部のレコード内容を模式的に示す図である。
【図５】実施の形態１に係る広告評価装置の動作を示すフローチャートである。
【図６】実施の形態２に係る広告評価装置の機能を模式的に示す機能ブロック図である。
【図７】実施の形態３に係る広告評価装置の機能を模式的に示す機能ブロック図である。
【図８】（ａ）は評価対象ＵＲＬ記憶部のレコード内容を模式的に示す図であり、（ｂ）はＵＲＬ・クライアント識別情報記憶部のレコード内容を模式的に示す図であり、（ｃ）は評価情報記憶部のレコード内容を模式的に示す図である。
【図９】実施の形態３に係る広告評価装置の動作を示すフローチャートである。
【図１０】実施の形態４に係る広告評価装置の機能を模式的に示す機能ブロック図である。
【符号の説明】
【００２８】
１０１    評価対象ＵＲＬ記憶部
４０１    評価対象識別情報記憶部
１０２    ＵＲＬ登録判断部
４０２    評価対象識別情報登録判断部
１０３、４０３    評価情報生成部
１０４、４０４    評価情報記憶部
１０５、１０５ａ、４０５、４０５ａ    クライアント識別情報記憶指示部
１０６      ＵＲＬ・クライアント識別情報記憶部
４０６      評価対象・クライアント識別情報記憶部
１０７、４０７      クライアント識別情報読出し部
１０８、１０８ａ    再ＵＲＬ抽出部
４０８、４０８ａ    再評価対象識別情報抽出部
【図１】
2005141583.tif 000003
【図２】
2005141583.tif 000004
【図３】
2005141583.tif 000005
【図４】
2005141583.tif 000006
【図５】
2005141583.tif 000007
【図６】
2005141583.tif 000008
【図７】
2005141583.tif 000009
【図８】
2005141583.tif 000010
【図９】
2005141583.tif 000011
【図１０】
2005141583.tif 000012